(57)【要約】【課題】  未使用であることの判別機能を美観を損なうことなく安価に備え、不正使用によって押し釦が押し下げられても内容物が吐出することのないものにする。【解決手段】  容器の上方に突出するステム１５に押し釦２５が装着され、前記押し釦２５の押し下げ操作をすることにより前記容器の内容物を前記押し釦２５から吐出させる吐出装置を備えた押し釦付き吐出容器において、前記ステム１５の外周面には前記ステム１５を折断可能な薄肉溝１６が周設され、且つ前記ステム１５の薄肉溝１６よりも上方位置には前記ステム１５の通路１７を遮断する遮断壁１８が形成されていることを特徴としており、使用する出際には、ステム１５の上部１５ａを薄肉溝１６において折断除去して通路１７を開通させ、折断後の短寸化したステム１５に押し釦２５を付け直してから押し下げ操作をするようにした。【選択図】      図１
2005335750.tif 000002
【特許請求の範囲】
【請求項１】
容器の上方に突出するステムに押し釦が装着され、前記押し釦の押し下げ操作をすることにより前記容器の内容物を前記押し釦から吐出させる吐出装置を備えた押し釦付き吐出容器において、前記ステムの外周面には前記ステムを折断可能な薄肉溝が周設され、且つ前記ステムの薄肉溝よりも上方位置には前記ステムの通路を遮断する遮断壁が形成されていることを特徴とする押し釦付き吐出容器。
【請求項２】
吐出装置が手動ポンプ式であることを特徴とする請求項１記載の押し釦付き吐出容器。
【請求項３】
吐出装置がエアゾール式であることを特徴とする請求項１記載の押し釦付き吐出容器。
【発明の詳細な説明】
【技術分野】
【０００１】
本発明は、手動ポンプ付き容器やエアゾール容器のように、容器外の上方に突出するステムに押し釦が装着され、この押し釦を押し下げることにより容器内の内容物を吐出する押し釦付き吐出容器に関し、詳しくは、消費者に商品の使用未使用の判別が容易にできる不正使用防止機能を備えた押し釦付き吐出容器に関する。
【背景技術】
【０００２】
手動ポンプ付き容器やエアゾール容器のような押し釦付きの吐出装置を備えた吐出容器に、シャンプーやシェービング剤、整髪剤、ハンドソープ等を充填したトイレタリー製品や、ファンデーションや化粧水、洗顔クリーム等を充填した化粧品が大量生産されている。これらは、内容物の容器外への吐出通路となっているステムを押し釦を介して押し下げることにより、吐出装置の排出弁を開放するとともにポンプ機構の作動や充填ガスによる内圧によって内容物を液状態や霧状態、泡状態、クリーム状態等にして押し釦の吐出ノズル部から容器の外部に吐出するようになっている。
【０００３】
手動ポンプ付き容器やエアゾール容器の如き押し釦付き吐出容器は、押し釦を押圧するだけで内容物を簡単に吐出させることのできる高い利便性を有している反面、流通段階で誤って押し釦が押し下げられたり、悪戯で押し釦を押し下げる所謂不正使用が行われやすい欠点も有している。
【０００４】
この為、従来より、不正使用を防止しするととも消費者に商品の未使用が判別できるようする様々な提案がなされている。例えば、特開平１０−１０１１１７号公報に開示されているものは、押し釦の下降を阻止するためにステム支持筒体から切断可能な弱化部を有するストッパーを押し釦の下面に介在させ、ストッパーにより押し釦の下降作動を阻止するとともに、悪戯などによる不正使用があった場合はストッパーの弱化部での切断や切り離されたストッパー自体の喪失により不正使用が明示されるようになっている。また、実開平６−８５２５６号公報には、押し釦の外周を端縁相互を破断部により連結してなる円筒状の帯状体で被覆し、帯状体を連結部で破断して取り除かないと吐出口が開口せず、且つ帯状体が装着された状態では押し釦の押し下げが不可能な構成のものが開示されている。
【特許文献１】特開平１０−１０１１１７号公報
【特許文献２】実開平６−８５２５６号公報
【発明の開示】
【発明が解決しようとする課題】
【０００５】
しかしながら、上述のように、ステム支持筒体から切断可能な弱化部を有するストッパーを介在させるにしても、円筒状の帯状体を用いるにしても、従来例のものは、ストッパ付きのステム支持筒体や帯状体という未使用証明機能を有する部品を釦付き吐出容器に組込まなければならず、このため部品点数が増加するとともに釦付き吐出容器の組立工程が複雑化し、価格的に不利になる。
【０００６】
また、ストッパや帯状体を用いた構成のものは、これら未使用を証明する機能部品が除去されてしまっても、これに消費者が気づきにくいうえに、未使用を証明する部品を目立ち易い形状にすると、美観が損なわれてデザインや外観の美しさを重んじる化粧品のイメージにはそぐわない外観を呈してしまう心配がある。
【０００７】
本発明は、上記の問題に鑑みてなされたもので、未使用であることの判別機能を美観を損なうことなく安価に備え、誤作動や不正使用によって押し釦が押し下げられても内容物が吐出することのない吐出容器を提供することにある。
【課題を解決するための手段】
【０００８】
本発明は、容器の上方に突出するステムに押し釦が装着され、前記押し釦の押し下げ操作をすることにより前記容器の内容物を前記押し釦から吐出させる吐出装置を備えた押し釦付き吐出容器において、前記ステムの外周面には前記ステムを折断可能な薄肉溝が周設され、且つ前記ステムの薄肉溝よりも上方位置には前記ステムの通路を遮断する遮断壁が形成されていることを特徴としており、使用する際には、ステムの上部を薄肉溝において折断除去して通路を開通させ、折断後の短寸化したステムに押し釦を付け直してから押し下げ操作をする。
【０００９】
上記の構成としたことにより、誤って或いは不正に押し釦が押し下げられてもステム内の通路を遮断した遮断壁によって内容物の吐出が阻止される。しかも、ステムを長く形成する以外に未使用を証明する為の付加部品がないので安価にして外観を損なうことがない。また、吐出できる状態にある標準のステムよりも長寸に形成されたステムを有する未使用状態にある製品は、見た目に印象に残りやすく、使用された製品と未使用の製品とはステムの長さが異なるので、ステムやステムに装着した押し釦の位置を視認するだけで使用、未使用の判別が極めて容易である。
【００１０】
また、押し釦付き吐出容器における吐出装置は手動ポンプ式であることが望ましい。
【００１１】
また、押し釦付き吐出容器における吐出装置がエアゾール式であってもよい。
【発明の効果】
【００１２】
本発明の押し釦付き吐出容器によれば、ステムの外周面にステムを折断可能な薄肉溝を周設し、且つステムの薄肉溝よりも上方位置にステム内の通路を遮断する遮断壁を形成し、ステムの上部を折断除去してステムの通路を開通してから押し釦を付け直して使用するように構成したので、不正に押し釦が押し下げられても内容物が吐出することがなく、誤作動や不正使用による内容物の吐出を防止することができる。また、標準よりも寸長のステムによって未使用が証明できるとともに、未使用を証明する為の部品が組込まれないので、価格的に有利であるばかりか、化粧品として使用してもそのイメージを損うことがない。
【発明を実施するための最良の形態】
【００１３】
以下、本発明の押し釦付き吐出容器の好適な実施の形態を、図面を参照しながら詳細に説明する。図１乃至図３は、本発明の押し釦付き吐出容器における吐出装置が手動式ポンプ式である場合の例を示しており、図４は、本発明の押し釦付き吐出容器における吐出装置がエアゾール式である場合の例を示している。
【００１４】
図１乃至図３に示すように、この実施の形態の押し釦付き吐出容器は、頸部２の外周に雄ネジ３が刻設された容器本体１と、この容器本体１の頸部２にネジ嵌合により嵌着された手動ポンプ１０と、この手動ポンプ１０を被覆するオーバーキャップ３０とから構成されている。
【００１５】
容器本体１は、合成樹脂や金属で形成されたボトルであり、容器本体１内にはシャンプー、リンス、シェービング剤、整髪剤、ハンドソープ、液体ファンデーション、化粧水、洗顔クリーム等の如き殊として液体のトイレタリー剤や化粧剤が充填されるものである。
【００１６】
手動ポンプ１０は、頂壁１２の上面にガイド筒部部１４が立設され中央に通孔１３が穿設されているポンプキャップ１１と、このポンプキャップ１１内に嵌め込まれフランジ部２１下面のパッキン２９を介して容器本体１内の中央に垂下された円筒状のハウジング２０と、ハウジング２０の下端に垂設され内容物の吸い上げ通路となっている柔軟性のディップチューブ２２とを備え、前記ハウジング２０の内部には弁、ピストン、スプリング等のポンプ用部品（図指省略）が組込まれている公知のポンプ機構が構成されている。そして、内容物の吐出用通路であるポンプ機構のステム１５が、スプリングによって上下動可能に弾性支持された状態でハウジング２０の中央からポンプキャップ１１の通孔１３を挿通してポンプキャップ１１のガイド筒部１４よりも外部上方に延びており、このステム１５の先端部には吐出用ノズル部２６を有する押し釦２５が嵌脱可能に装着されている。
【００１７】
通常、手動ポンプ１０におけるステム１５の長さは、図３に示すように、ステム１５に取り付けられた押し釦２５が、その作動時にポンプキャップ１１のガイド筒部１４に案内されるように押し釦２５の裾部２７がガイド筒部１４の内側に収まる寸法に設定されている。このような長さに設定されたステムの寸法を標準とした場合、図１に示すように、この手動ポンプ１０のステム１５は、使用する以前には押し釦２５全体がガイド筒部１４の外部上方に位置し、ステム１５の一部分が押し釦２５とガイド筒部１４との間に露見するように標準の長さよりも寸長に設定されている。
【００１８】
また、露見している部分のステム１５の外周面には、ステム１５を折断可能な薄肉溝１６が周設されており、且つ薄肉溝１６よりも上方の位置には、ステム１５の内側に形成されている内容物の通路１７を遮断している遮断壁１８が形成されている。したがって、誤作動や不正使用によりこのままの状態で押し釦２５が押されてもステム１５の遮断壁１８により内容物が吐出されることがなく、不正な押圧操作による吐出を防止するとともに、折断されていない寸長のステム１５の状態が未使用製品であることを保証する。
【００１９】
オーバーキャップ３０は、有頂筒状に形成されており、容器本体１に装着された手動ポンプ１０がオーバーキャップ３０を通して視認できるように、透明の合成樹脂が用いられている。
【００２０】
押し釦付き吐出容器を使用するときは、押し釦２５をステム１５から取り外し、図２示すように、手指を用いてステム１５の上部分１５ａを薄肉溝１６から折断除去してステム１５の通路１７を開通させ、折断された後の短寸化したステム１５に押し釦２５を付け直す。
【００２１】
ステム１５の上部分１５ａを折取ったステム１５に押し釦２５を最装着すると、ステム１５が標準の長さに折断されていることから、図３に示すように、押し釦２５の裾部２７がガイド筒部１４の内側に位置する。したがって、操作される押し釦２５はガイド筒部１４に案内されて円滑に上下動し、ポンプ機構が作動して押し釦２５のノズル部２６から内容物を吐出させることができる。
【００２２】
以上説明したように、この押し釦付き吐出容器にあっては、未使用の状態では標準のものよりも長いステム１５が露見していて、且つ装着されている押し釦２５全体が視認される位置にある。したがって、ステム１５を折断して使用されたものとは、ステム１５の長さや押し釦２５の位置の相違から視覚的に容易に判別ができる。このステム１５の長さの相違は、吐出容器の外観を損なうものではがなく、外観の美しさを重じる化粧品やトイレタリー製品にも充分に対応することができる。
【００２３】
図４は、押し釦付き吐出容器の吐出装置がエアゾール式である場合の実施の形態を示しており、エアゾール缶からなる容器本体１のカール部５にエアゾールバルブ６がクリプされ、エアゾールバルブ６の中央には押し釦２５を着脱可能に装着した中空のステム１５が立設されている。
【００２４】
エアゾールバルブ６と押し釦２５との間に露見しているステム１５の外周面にはステム１５を折断可能な薄肉溝１６が周設されており、且つステム１５の薄肉溝１６よりも上方の位置には、ステム１５の内側に形成されている内容物の通路を遮断する為の遮断壁（図指省略）が形成されている。したがって、誤作動や不正使用によりこのままの状態で押し釦２５が押されてもステム１５の遮壁により内容物が吐出されることがなく、不正な押圧操作による吐出を防止し、寸長のステム１５が未使用製品であることを保証する。
【００２５】
使用するときは、既述した手動ポンプ式の場合と同様に、ステム１５の上部分１５ａを薄肉溝１６から折断除去してステム１５の通路を開通させ、短寸化したステム１５に押し釦２５を付け直す。したがって、未使用のものと使用されたものとは、ステム１５の長さや押し釦２５の位置の相違から視覚的に容易に判別ができる。
【図面の簡単な説明】
【００２６】
【図１】本発明の押し釦付き吐出容器の実施の形態を、主要部を截切して示す側面図。
【図２】図１の容器を使用可能にする過程を示す説明図。
【図３】図１の容器を使用可能にした状態を、主要部を截切して示す側面図。
【図４】本発明の押し釦付き吐出容器の別の実施の形態を示す正面図。
【符号の説明】
【００２７】
１５  ステム，１６  薄肉溝，１７  通路，１８  遮断壁，２５  押し釦，
【図１】
2005335750.tif 000003
【図２】
2005335750.tif 000004
【図３】
2005335750.tif 000005
【図４】
2005335750.tif 000006